(57)【特許請求の範囲】
【請求項１】
画像を表示する表示部を備える本体と、
前記本体を載置する載置部と、
前記載置部に前記本体を載置した場合の前記本体の状態を基準として、前記表示部の傾きを検出する傾きセンサと、
前記傾きに応じて前記表示部に表示された前記画像の移動を行う画像移動部と、
前記本体と前記載置部との接続を検出する接続検出部と、
前記接続検出部により検出された接続の状態に基づいて、前記画像移動部による前記画像の移動を有効とする制御部とを備える
ことを特徴とする表示装置。
【請求項２】
前記傾きセンサは、前記載置部に前記本体を載置した場合に前記表示部の左右方向の傾きを検出し、
前記画像移動部は、複数の画像を一定の方向に、前記表示部に表示された画像群または、拡大表示された前記画像の表示位置を前記表示部が下がっている方向へ移動させる
ことを特徴とする請求項１記載の表示装置。
【請求項３】
前記画像移動部は、前記傾きセンサにより検出された傾きの大きさに応じて前記画像の移動量を設定する
ことを特徴とする請求項１または２記載の表示装置。
【請求項４】
前記傾きは９０度未満の所定角度である
ことを特徴とする請求項１〜３の何れか一項に記載の表示装置。
【請求項５】
画像を表示する表示部を備える本体と、
前記本体を載置する載置部と、
前記載置部に前記本体を載置した場合の前記本体の状態を基準として、前記表示部の傾きを検出する傾きセンサと、
前記傾きに応じて前記表示部に表示された前記画像の拡大、縮小、選択のうち少なくとも１つの処理を行う処理部と、
前記本体と前記載置部との接続を検出する接続検出部と、
前記接続検出部により検出された接続の状態に基づいて、前記処理部による処理を有効とする制御部とを備える
ことを特徴とする表示装置。
【請求項６】
前記傾きセンサは、前記載置部に前記本体を載置した場合に前記表示部の前後方向の傾きを検出し、
前記処理部は、前記傾きセンサにより検出された傾きの大きさに応じて前記画像の拡大率または縮小率を設定する
ことを特徴とする請求項５記載の表示装置。
【請求項７】
前記傾きセンサは、前記載置部に前記本体を載置した場合に前記表示部の左右方向の傾きを検出し、
前記画像移動部は、複数の画像を一定の方向に、前記表示部に表示された画像群を前記表示部が下がっている方向へ移動させ、前記表示部に表示された前記画像の分類情報に基づいて、前記画像群の移動を一時的に停止する
ことを特徴とする請求項１記載の表示装置。
【請求項８】
前記分類情報は、前記画像の撮影日、前記画像の撮影に用いたカメラ、前記画像の画像データが記憶されているファイルフォルダ、前記画像の縦横比の情報、前記画像に対応付けられたイベント名称のうち少なくとも１つである
ことを特徴とする請求項７記載の表示装置。
【発明の詳細な説明】
【技術分野】
【０００１】
本発明は、表示装置に関するものである。
【背景技術】
【０００２】
観賞用画像を電気的に表示する表示部を備えた表示装置が知られている（例えば、特許文献１参照）。
【先行技術文献】
【特許文献】
【０００３】
【特許文献１】特開２００１−６７００４号公報
【発明の概要】
【発明が解決しようとする課題】
【０００４】
ところで、このような表示装置においては画像鑑賞時の美観を考慮し表示部が設けられた装置前面に操作スイッチ等を配置しない等のデザインが行われている。また、ユーザビリティを向上させる観点から表示部全面をタッチセンサとする構成を採用する装置も存在する。しかし、タッチセンサを用いると表示部にユーザの手アブラや指紋が付着しやすく、また、表示部に傷がつく虞もあった。
【０００５】
本発明の目的は、ユーザが表示部を手で触れる必要がなく、高いユーザビリティを実現することができるユーザインタフェースを有する表示装置を提供することである。
【課題を解決するための手段】
【０００６】
本発明の表示装置は、画像を表示する表示部を備える本体と、前記本体を載置する載置部と、前記載置部に前記本体を載置した場合の前記本体の状態を基準として、前記表示部の傾きを検出する傾きセンサと、前記傾きに応じて前記表示部に表示された前記画像の移動を行う画像移動部と、前記本体と前記載置部との接続を検出する接続検出部と、前記接続検出部により検出された接続の状態に基づいて、前記画像移動部による前記画像の移動を有効とする制御部とを備えることを特徴とする。
【０００７】
また、本発明の表示装置は、画像を表示する表示部を備える本体と、前記本体を載置する載置部と、前記載置部に前記本体を載置した場合の前記本体の状態を基準として、前記表示部の傾きを検出する傾きセンサと、前記傾きに応じて前記表示部に表示された前記画像の拡大、縮小、選択のうち少なくとも１つの処理を行う処理部と、前記本体と前記載置部との接続を検出する接続検出部と、前記接続検出部により検出された接続の状態に基づいて、前記処理部による処理を有効とする制御部とを備えることを特徴とする。
【発明の効果】
【００１０】
本発明の表示装置によれば、ユーザが表示部を手で触れる必要がなく、高いユーザビリティを有するユーザインタフェースを実現することができる。
【図面の簡単な説明】
【００１１】
【図１】本発明の第１の実施の形態に係るＤＰＦの外観を示す斜視図である。
【図２】本発明の第１の実施の形態に係るＤＰＦの背面を示す図である。
【図３】本発明の第１の実施の形態に係るＤＰＦのシステム構成を示すブロック図である。
【図４】本発明の第１の実施の形態に係るＤＰＦのＬＣＤ表示部におけるサムネイル表示を示す図である。
【図５】本発明の第１の実施の形態に係るＤＰＦのＬＣＤ表示部におけるサムネイル画像の移動処理を示す図である。
【図６】本発明の第１の実施の形態に係るＤＰＦのＬＣＤ表示部におけるサムネイル画像の移動処理を示す図である。
【図７】本発明の第１の実施の形態に係るＤＰＦのＬＣＤ表示部におけるサムネイル表示を示す図である。
【図８】本発明の第１の実施の形態に係るＤＰＦのＬＣＤ表示部における画像の選択処理を示す図である。
【図９】本発明の第１の実施の形態に係るＤＰＦのＬＣＤ表示部における画像の拡大処理を示す図である。
【図１０】本発明の第１の実施の形態に係るＤＰＦのＬＣＤ表示部における画像の縮小処理を示す図である。
【図１１】本発明の第２の実施の形態に係るＤＰＦのＬＣＤ表示部におけるサムネイル画像の移動処理を示す図である。
【図１２】本発明の第２の実施の形態に係るＤＰＦのＬＣＤ表示部におけるサムネイル画像の移動処理を示す図である。
【図１３】本発明の第２の実施の形態に係るＤＰＦのＬＣＤ表示部における画像の選択処理を示す図である。
【図１４】本発明の第２の実施の形態に係るＤＰＦのＬＣＤ表示部における画像の拡大処理を示す図である。
【図１５】本発明の第２の実施の形態に係るＤＰＦのＬＣＤ表示部における画像の縮小処理を示す図である。
【発明を実施するための形態】
【００１２】
以下、図面を参照して本発明の第１の実施の形態に係るデジタルフォトフレーム（以下、ＤＰＦという。）について説明する。図１は、実施の形態に係るＤＰＦの外観を示す斜視図である。ＤＰＦ２は装置本体４を備え、装置本体４はクレードル６に対して着脱可能に載置することができる。なお、図１においては装置本体４がクレードル６から外された状態を示している。
【００１３】
また、装置本体４の前面には画像や時刻等の情報を電気的に表示するＬＣＤ表示部８が設けられ、また、装置本体４の側面には、ＰＣやＵＳＢ機器が接続されるＵＳＢコネクタ１０、画像等のデータが記憶されたメモリカード等を挿入するカードスロット１２が設けられている。また、装置本体４の底面にはクレードル６のコネクタ１８を介して電源の供給を受けるコネクタ１４が設けられている。クレードル６には、外部の商用電源から電源を得るＡＣアダプタ１６が接続され、コネクタ１８を介してＤＰＦ２に電源を供給する。また、クレードル６には装置本体４が載置された場合に装置本体４を支持する支持板２０が設けられている。
【００１４】
図２は、実施の形態に係るＤＰＦの背面を示す図である。装置本体４の背面には、ＤＰＦ２の電源のオン／オフ状態を切り替える電源スイッチ２８、操作に係る動作の有効化、ＤＰＦ２の機能設定やＬＣＤ表示部８の表示設定の際に使用する操作キー３０、操作モードを切り替えるモード切替ボタン３２が設けられている。
【００１５】
図３は、第１の実施の形態に係るＤＰＦのシステム構成を示すブロック図である。ＤＰＦ２は、ＣＰＵ３４を備え、ＣＰＵ３４にはＬＣＤ表示部８に表示される画像や情報、表示される画像等の表示輝度、色や色調等の表示制御を行う表示制御部３６、ＬＣＤ表示部８に表示する画像を一時的に記憶するバッファメモリ４０、ＪＰＥＧ方式で圧縮された画像データを再生可能に伸長するＪＰＥＧデコーダ、ＭＰＥＧ方式で圧縮された動画のデータを再生可能に伸長するＭＰＥＧデコーダ等を含むデコーダ４２、コネクタ１４を介してクレードル６から電源の供給を受けＤＰＦ２の電源の制御を行う電源制御部４４、コネクタ１４を介して装置本体４がクレードル６に載置されているか、クレードル６から外されているかを検出する接続検出部４６、操作キー３０により入力された画像の出力条件を設定する出力条件設定部４８、ＤＰＦ２の機能の設定や日時を表す情報画像を含む画像等のデータを記憶する内部メモリ５０、ＵＳＢコネクタ１０に接続されたＵＳＢ機器に対する制御を行うＵＳＢコントローラ５６、カードスロット１２に挿入されたメモリカード等に対する制御を行うカードコントローラ５８、操作部５９による操作を受け付けるＩ／Ｆドライバ６０が接続されている。ここで、操作部５９は、電源スイッチ２８、操作キー３０、モード切替ボタン３２を備えている。
【００１６】
また、電源制御部４４には、装置本体４がクレードル６から外された場合にＣＰＵ３４を介してＤＰＦ２に電源を供給するバッテリ６２が接続されている。なお、装置本体４がクレードル６に載置されている場合にはＣＰＵ３４を介してＤＰＦ２に電源を供給する他、バッテリ６２の充電を行ってもよい。また、クレードル６にはコネクタ１８が設けられ、電源コネクタ６４を介してＡＣアダプタ１６と接続されている。
【００１７】
次に、図面を参照して実施の形態に係る装置本体をクレードルから外した状態でのＤＰＦの動作について説明する。接続検出部４６により装置本体４がクレードル６から外された状態であることが検出された場合には、電源制御部４４はバッテリ６２を用いて装置本体４への電源の供給を行う。
【００１８】
ここで、図４、図５（ｂ）、図６（ｂ）、図８（ｂ）、図９（ｂ）、図１０（ｂ）におけるＬＤＣ表示部８の表示は、ユーザが上方からＬＣＤ表示部８を見下ろした状態を示している。以下の説明においては、これらの図における上下左右を用いて傾きセンサ５２により検出する傾き方向を表すものとし、また、本実施の形態においては水平面を基準面としてＬＣＤ表示部８を有する装置本体４の上方向、下方向、左方向、右方向へ傾きを検出するものとする。
【００１９】
図４に示すようにＬＣＤ表示部８には、出力条件設定部４８における設定に基づいて表示制御部３６により横方向に一列に並んだレイアウトで画像のサムネイル表示が行われている。ここで、「Ｉｍａｇｅ＃１８／３２０」は、サムネイル表示を行うことが可能な画像の枚数が３２０枚であり、サムネイル表示において１８番目の画像が現在選択されていることを示している。また、選択されている画像のサムネイル画像を中心に表示し、他のサムネイル画像と比較して大きく表示している。また、１８番目のサムネイル画像の右側には１９番目のサムネイル画像を、左側には１７番目のサムネイル画像をそれぞれ表示している。
【００２０】
図４に示すサムネイル表示が行われている場合において、図５（ａ）の矢印で示すようにユーザから見て装置本体４の左側を下に傾けると、傾きセンサ５２は装置本体４の左側が水平面に対して下に下がったことを検出する。この場合には、表示制御部３６は図５（ｂ）に示すように検出された傾きに基づいてサムネイル画像送り動作、即ちサムネイル表示されている画像を左へ移動する処理を行う。従って、図５（ｂ）に示すように左に１サムネイル移動し１９番目のサムネイル画像が選択される。また、左方向へサムネイル画像が移動していることを示すため左方向を示す左矢印６６を、右方向を示す右矢印６８に比べて大きく表示している。
【００２１】
また、図４に示すサムネイル表示が行われている場合において、図６（ａ）の矢印で示すようにユーザから見て装置本体４の右側を下に傾けると、傾きセンサ５２は装置本体４の右側が水平面に対して下に下がったことを検出する。この場合には、表示制御部３６は図６（ｂ）に示すように検出された傾きに基づいてサムネイル画像の戻し動作、即ちサムネイル表示されている画像を右へ移動する処理を行う。従って、図６（ｂ）に示すように右に１サムネイル移動し１７番目のサムネイル画像が選択される。また、右方向へサムネイル画像が移動していることを示すため右矢印６８を左矢印６６に比べて大きく表示している。
【００２２】
なお、図５及び図６に示すサムネイル画像の移動処理において、傾きが大きいほどサムネイル画像の移動枚数を大きくしてもよいし、傾きが大きいほどサムネイル画像の移動速度を上げてもよい。このとき、傾きに応じて２〜３段階の移動枚数または移動速度を設定してもよい。また、図５及び図６に示すサムネイル画像の移動処理において、横方向に一列に並んだレイアウトで画像のサムネイル表示が行う構成を例に説明したが、図７に示すように縦方向に一列に並んだレイアウトで画像のサムネイル表示を行ってもよいし、斜め方向に一列に並んだレイアウトで画像のサムネイル表示を行ってもよい。
【００２３】
図７に示すように縦方向に一列に並んだレイアウトで画像のサムネイル表示を行う場合には、例えば、装置本体４の上側が水平面に対して下に下がったことを傾きセンサ５２が検出すると、表示制御部３６は、検出された傾きに基づいてサムネイル画像の送り動作を行う。また、装置本体４の下側が水平面に対して下に下がったことを傾きセンサ５２が検出すると、表示制御部３６は、検出された傾きに基づいてサムネイル画像の戻し動作を行う。
【００２４】
また、図４に示すサムネイル表示が行われている場合において、図８（ａ）の矢印で示すようにユーザから見て装置本体４を手前に引く動作、即ち装置本体４の下側を下げると、傾きセンサ５２は装置本体４の下側が水平面に対して下に下がったことを検出する。従って表示制御部３６は、図８（ｂ）に示すように検出された傾きに基づいてサムネイル表示において選択されていた画像の１枚表示に切り替えて表示を行う。
【００２５】
なお、加速度センサまたは角速度センサを備えている場合には、ユーザから見て装置本体４を手前に引く動作を加速度センサまたは角速度センサにより検出してもよい。この場合には、検出された加速度または角速度に基づいてサムネイル表示において選択されていた画像を１枚表示に切り替えて表示を行う。
【００２６】
また、図８（ｂ）に示す１枚表示が行われている場合において、図９（ａ）の矢印で示すようにユーザから見て装置本体４を手前に引く動作、即ち装置本体４の下側を水平面に対して下げると、傾きセンサ５２は装置本体４の下側が水平面に対して下に下がったことを検出する。従って表示制御部３６は、図９（ｂ）に示すように検出された傾きに基づいて１枚表示において表示している画像を拡大して表示を行う。
【００２７】
また、図９（ｂ）に示す拡大表示が行われている場合において、図１０（ａ）の矢印で示すようにユーザから見て装置本体４を遠ざける動作、即ち基準面に対して装置本体４の上側を水平面に対して下げると、傾きセンサ５２は装置本体４の上側が水平面に対して下に下がったことを検出する。従って表示制御部３６は、図１０（ｂ）に示すように検出された傾きに基づいて拡大表示を行っている画像の縮小表示を行う。
【００２８】
また、モード切替ボタン３２により操作モードを拡大画像移動モードに変更してもよい。この場合には、図９（ｂ）に示す拡大表示が行われている場合において、傾きセンサ５２が傾きを検出すると、傾きを検出した方向に応じて拡大表示している画像の表示位置の移動を行う。このとき、傾きを検出している時間一定速度で画像の表示位置の移動を行ってもよいし、検出された傾きが大きいほど画像の表示位置を移動する速度を上げてもよい。なお、図９（ｂ）及び図１０（ｂ）に示す１枚表示を行っている画像の拡大処理または縮小処理において、傾きが大きいほど画像の拡大率または縮小率を上げてもよい。このとき、傾きに応じて２〜３段階の拡大率または縮小率を設定してもよい。
【００２９】
また、図９（ｂ）及び図１０（ｂ）示す１枚表示を行っている画像の拡大処理または縮小処理において、装置本体４が加速度センサまたは角速度センサを備えている場合には、ユーザから見て装置本体４を手前に引く動作及び装置本体４を遠ざける動作を加速度センサまたは角速度センサにより検出してもよい。この場合には、検出された加速度または角速度に基づいて画像の拡大表示及び縮小表示をそれぞれ行う。このとき、検出された加速度または角速度が大きいほど拡大率・縮小率を大きくしてもよい。
【００３０】
また、上述の各処理において、ユーザが意図しない動作を防止するため、傾きが閾値以下の場合には傾きセンサ５２により検出した傾きに基づく動作を行わなくてもよいし、操作キー３０が押下されている場合にのみ傾きセンサにより検出した傾きに基づく動作を有効としてもよい。サムネイル画像の移動処理及び拡大表示した画像の表示位置の移動処理において操作キー３０が押下されている場合にのみ動作を行う場合には、操作キー３０の押下を停止した時点で移動処理を停止することができる。従って、所望のサムネイル画像または表示範囲の拡大画像を表示することができる。
【００３１】
また、加速度センサまたは角速度センサを備える場合には、サムネイル画像の移動処理及び拡大表示した画像の表示位置の移動処理において、検出した加速度または角速度に基づいて移動処理を停止してもよい。この場合には、加速度センサまたは角速度センサは、例えば装置本体４を軽く叩く動作や画像の移動方向と逆向きに装置本体４を動かす動作に基づく加速度または角速度を検出し、表示制御部３６は移動処理を停止する。
【００３２】
また、上述の実施の形態において、傾きセンサ５２は水平面を基準面として傾きを検出する構成として説明したが、水平面から所定の角度傾いた面を基準面として傾きを検出してもよい。
【００３３】
次に、図面を参照して本発明の第２の実施の形態に係るＤＰＦについて説明する。なお、第１の実施の形態においては装置本体４がクレードル６から外された状態の動作について説明したが、第２の実施の形態においては装置本体４がクレードル６に載置された状態の動作について説明する。従って、第１の実施の形態と同一の構成についての詳細な説明は省略し、異なる部分のみについて詳細に説明する。また、第１の実施の形態と同一の構成には同一の符号を付して説明する。
【００３４】
接続検出部４６によりは装置本体４がクレードル６に載置されていることが検出された場合には、電源制御部４４はコネクタ１４を介してクレードル６から供給された電源を装置本体４に供給する。
【００３５】
ここで、図４、図１１（ｂ）、図１２（ｂ）、図１３（ｂ）、図１４（ｂ）、図１５（ｂ）におけるＬＤＣ表示部８の表示は、装置本体４がクレードル６に載置された状態のＬＣＤ表示部８の表示を示している。以下の説明においては、これらの図における上下左右を用いて傾きセンサ５２により検出する傾き方向を表すものとする。
【００３６】
また、例えば、図１３（ａ）に示すように装置本体４は、クレードル６に載置された場合に支持板２０に支持される状態となり、ＬＣＤ表示部８に水平な面は鉛直方向から所定角傾くこととなる。本実施の形態においては傾きセンサ５２は、クレードル６に装置本体４を載置した状態におけるＬＣＤ表示部８と水平な面を基準面として前方向、後方向、左方向、右方向へ傾きを検出するものとする。
【００３７】
装置本体４がクレードル６に載置されている状態で図４に示すサムネイル表示が行われている場合において、図１１（ａ）の矢印で示すようにユーザの指等により装置本体４の左上が押されると、クレードル６を支点として装置本体４は左に傾く。この場合に、傾きセンサ５２は、ＬＣＤ表示部８に水平な基準面内において装置本体４が左に傾いたことを検出する。従って表示制御部３６は、図１１（ｂ）に示すように検出された傾きに基づいてサムネイル画像送り動作、即ちサムネイル表示されている画像を左へ移動する処理を行う。ここで、図１１（ｂ）は左に１サムネイル移動し１９番目のサムネイル画像が選択された状態でのＬＣＤ表示部８における表示を示している。また、左方向へサムネイル画像が移動していることを示すため左矢印６６を右矢印６８に比べて大きく表示している。
【００３８】
また、装置本体４がクレードル６に載置されている状態で図４に示すサムネイル表示が行われている場合において、図１２（ａ）の矢印で示すようにユーザの指等により装置本体４の右上が押されると、クレードル６を支点として装置本体４は右に傾く。この場合に、傾きセンサ５２は、ＬＣＤ表示部８に水平な基準面内において装置本体４が右に傾いたことを検出する。従って表示制御部３６は、図１２（ｂ）に示すように検出された傾きに基づいてサムネイル画像戻し動作、即ちサムネイル表示されている画像を右へ移動する処理を行う。ここで、図１２（ｂ）は右に１サムネイル移動し１７番目のサムネイル画像が選択された状態でのＬＣＤ表示部８における表示を示している。また、右方向へサムネイル画像が移動していることを示すため右矢印６８を左矢印６６に比べて大きく表示している。
【００３９】
なお、図１１（ｂ）及び図１２（ｂ）に示すサムネイル画像の移動処理において、傾きが大きいほどサムネイル画像の移動枚数を大きくしてもよいし、傾きが大きいほどサムネイル画像の移動速度を上げてもよい。このとき、傾きに応じて２〜３段階の移動枚数または移動速度を設定してもよい。また、装置本体４が転倒しない９０°未満の所定角度まで装置本体４を傾かせることができ、傾かせることができる最大角度は３０°以下であることが好ましく、１０°以下であることがさらに好ましい。
【００４０】
また、装置本体４がクレードル６に載置されている状態で図４に示すサムネイル表示が行われている場合において、図１３（ａ）の矢印で示すようにユーザが装置本体４を手前に引く動作を行うと、傾きセンサ５２は装置本体４が基準面に対して前側に傾いたことを検出する。従って表示制御部３６は、図１３（ｂ）に示すように検出された傾きに基づいてサムネイル表示において選択されていた画像の１枚表示に切り替えて表示を行う。
【００４１】
また、装置本体４がクレードル６に載置されている状態で図１３（ｂ）に示す１枚表示が行われている場合において、図１４（ａ）の矢印で示すようにユーザが装置本体４を手前に引く動作を行うと、傾きセンサ５２は装置本体４が基準面に対して前側に傾いたことを検出する。従って表示制御部３６は、図１４（ｂ）に示すように表示制御部３６は、検出された傾きに基づいて１枚表示において表示している画像を拡大して表示を行う。
【００４２】
また、装置本体４がクレードル６に載置されている状態で図１４（ｂ）に示す拡大表示が行われている場合において、図１５（ａ）の矢印で示すようにユーザが装置本体４前面のＬＣＤ表示部８の上部を押す動作を行うと、傾きセンサ５２は装置本体４が基準面に対して後側に傾いたことを検出する。そして図１５（ｂ）に示すように表示制御部３６は、検出された傾きに基づいて拡大表示を行っている画像の縮小表示を行う。
【００４３】
また、モード切替ボタン３２により操作モードを拡大画像移動モードに変更してもよい。この場合には、装置本体４がクレードル６に載置されている状態で図９（ｂ）に示す拡大表示が行われている場合において、傾きセンサ５２が傾きを検出すると、傾きを検出した方向に応じて拡大表示している画像の表示位置の移動を行う。このとき、傾きを検出している時間一定速度で画像の表示位置の移動を行ってもよいし、検出された傾きが大きいほど画像の表示位置を移動する速度を上げてもよい。
【００４４】
なお、図１４（ｂ）及び図１５（ｂ）に示す１枚表示を行っている画像の拡大処理または縮小処理において、傾きが大きいほど画像の拡大率または縮小率を上げてもよい。このとき、傾きに応じて２〜３段階の拡大率または縮小率を設定してもよい。
【００４５】
また、加速度センサまたは角速度センサを備える場合には、サムネイル画像の移動処理及び拡大表示した画像の表示位置の移動処理において、検出した加速度または角速度に基づいて移動処理を停止してもよい。この場合には、加速度センサまたは角速度センサは、例えば装置本体４を軽く叩く動作や画像の移動方向と逆向きに装置本体４を動かす動作に基づく加速度または角速度を検出し、移動処理を停止する。また、上述の実施の形態における各処理は、接続検出部４６により装置本体４とクレードル６との接続が検出されている場合にのみ有効としてもよい。
【００４６】
上述の各実施の形態に係るＤＰＦによれば、傾きが検出された方向へ画像の移動を行うためユーザは直感的な操作を行うことができる。
【００４７】
なお、上述の各実施の形態において、サムネイル画像の移動処理を行う場合にはＵＳＢコネクタ１０に接続されたＵＳＢ機器やカードスロット１２に挿入されたメモリカード、内部メモリ５０に記憶された画像データの分類情報毎にサムネイル画像の移動処理を一旦停止してもよい。ここで、分類情報として例えば、画像の撮影日、画像の撮影に用いたカメラ、前記画像の画像データが記憶されているファイルフォルダ、画像の縦横比の情報、画像に対応付けられたイベント名称等を挙げることができる。また、これらの分類情報の１つのみを用いてもよいし、２つ以上の分類情報を組み合わせて用いてもよい。
【符号の説明】
【００４８】
２…ＤＰＦ、４…装置本体、６…クレードル、８…ＬＣＤ表示部、１４…コネクタ、２０…支持板、３４…ＣＰＵ、３６…表示制御部、４６…接続検出部、５２…傾きセンサ
【図１】
0005556231.tif 000002
【図２】
0005556231.tif 000003
【図３】
0005556231.tif 000004
【図４】
0005556231.tif 000005
【図５】
0005556231.tif 000006
【図６】
0005556231.tif 000007
【図７】
0005556231.tif 000008
【図８】
0005556231.tif 000009
【図９】
0005556231.tif 000010
【図１０】
0005556231.tif 000011
【図１１】
0005556231.tif 000012
【図１２】
0005556231.tif 000013
【図１３】
0005556231.tif 000014
【図１４】
0005556231.tif 000015
【図１５】
0005556231.tif 000016